(57)【要約】【課題】  ユーザの趣味や嗜好を反映しつつ、その時の状況に合わせた情報を配信することができる情報提供システムを提供する。【解決手段】  端末に送信する配信情報を記憶する配信情報記憶部と、端末のユーザに関する情報であるユーザプロファイル情報を記憶するユーザ情報記憶部と、配信情報を配信する配信ルールを記憶する配信ルール記憶部と、情報の更新に応じて当該更新された後の即時情報を受信する即時情報受信部と、即時情報受信部が受信した即時情報に含まれる情報に該当する配信ルールを配信ルール記憶部のなかから検索する配信条件検索部と、ユーザ情報記憶部を参照して配信条件検索部によって検索された配信ルールに該当するユーザプロファイル情報のユーザの端末に対し、配信情報を配信する配信部と、を有する。【選択図】    図１
2005267535.tif 000002
【特許請求の範囲】
【請求項１】
情報配信装置にネットワークを介して接続されるとともに端末に情報を提供する情報提供システムであって、
前記端末に送信する配信情報を記憶する配信情報記憶部と、
前記端末のユーザに関する情報であるユーザプロファイル情報を記憶するユーザ情報記憶部と、
前記配信情報を配信する配信ルールを記憶する配信ルール記憶部と、
情報の更新に応じて当該更新された後の即時情報を受信する即時情報受信部と、
前記即時情報受信部が受信した即時情報に含まれる情報に該当する配信ルールを前記配信ルール記憶部のなかから検索する配信条件検索部と、
前記ユーザ情報記憶部を参照して前記配信条件検索部によって検索された配信ルールに該当するユーザプロファイル情報のユーザの端末に対し、前記配信情報を配信する配信部と、
を有することを特徴とする情報提供システム。
【請求項２】
前記配信条件検索部は、前記即時情報に含まれる項目の組み合わせとその情報に基づいて前記配信ルールを検索することを特徴とする請求項１記載の情報提供システム。
【請求項３】
情報配信装置にネットワークを介して接続されるとともに端末に情報を提供する情報提供システムにおける情報提供方法であって、
情報の更新に応じて当該更新された後の即時情報を受信し、
前記受信した即時情報に含まれる情報に該当する配信ルールを、配信情報を配信する配信ルールを記憶する配信ルール記憶部のなかから検索し、
前記端末のユーザに関する情報であるユーザプロファイル情報を記憶するユーザ情報記憶部を参照し、前記検索された配信ルールに該当するユーザプロファイル情報に該当するユーザの端末に対し、前記配信情報を配信する
ことを特徴とする情報提供方法。
【請求項４】
情報配信装置にネットワークを介して接続されるとともに端末に情報を提供する情報提供システムにおける情報提供プログラムであって、
情報の更新に応じて当該更新された後の即時情報を受信するステップと、
前記受信した即時情報に含まれる情報に該当する配信ルールを、配信情報を配信する配信ルールを記憶する配信ルール記憶部のなかから検索するステップと、
前記端末のユーザに関する情報であるユーザプロファイル情報を記憶するユーザ情報記憶部を参照し、前記検索された配信ルールに該当するユーザプロファイル情報に該当するユーザの端末に対し、前記配信情報を配信するステップと、
をコンピュータに実行させることを特徴とする情報提供プログラム。
【発明の詳細な説明】
【技術分野】
【０００１】
本発明は、配信情報をユーザの端末に送信して印刷装置によって印刷させる情報提供システム、情報提供方法、情報提供プログラムに関する。
【背景技術】
【０００２】
従来から、インターネットなどのネットワークを介して、コンピュータや携帯電話などのユーザの端末に広告やチラシの情報を送信して広告するシステムが構築されている。このシステムでは、サーバに蓄積された広告等の情報を更新することによって、様々な情報を配信することができる。ユーザは、広告を端末によって受信し、特売の商品の情報、新製品の情報などを取得し、これらを有効に活用することが可能である。
【０００３】
ところで、このような広告を配信する場合、端末の画面上だけで広告の情報を閲覧するだけでなく、クーポンなどをユーザに配信しプリンタで印刷して該当する店頭にて利用することも可能である。このようにプリンタで印刷することによって、情報を配信する利用価値を高めることができる。このような広告等をプリンタで印刷する点に着目したシステムも提案されている（特許文献１）。すなわち、広告やチラシの情報を定期的に印刷することを条件に印刷装置を無料もしくは割引して配付もしくは販売するシステムについて提案されている。
【特許文献１】特開２００１−９２７４３号公報
【発明の開示】
【発明が解決しようとする課題】
【０００４】
しかしながら、上述した特許文献１においては、ユーザの自宅などにおいて広告を印刷してもらうことができるが、ユーザにとっては、各種情報を印刷するにあたり、自分が興味が無い情報を印刷するよりは、自分に興味がある情報や、利用価値がある広告を印刷できた方が望ましい。また、情報は、時々刻々と変化するものであるから、その時の状況や環境に合った情報であった方が利用価値が高い。
【０００５】
本発明は、このような事情に鑑みてなされたもので、その目的は、ユーザの趣味や嗜好を反映しつつ、その時の状況に合わせた情報を配信することができる情報提供システム、情報提供方法、情報提供プログラムを提供することにある。
【課題を解決するための手段】
【０００６】
上述した課題を解決するために、本発明は、情報配信装置にネットワークを介して接続されるとともに端末に情報を提供する情報提供システムであって、前記端末に送信する配信情報を記憶する配信情報記憶部と、前記端末のユーザに関する情報であるユーザプロファイル情報を記憶するユーザ情報記憶部と、前記配信情報を配信する配信ルールを記憶する配信ルール記憶部と、情報の更新に応じて当該更新された後の即時情報を受信する即時情報受信部と、前記即時情報受信部が受信した即時情報に含まれる情報に該当する配信ルールを前記配信ルール記憶部のなかから検索する配信条件検索部と、前記ユーザ情報記憶部を参照して前記配信条件検索部によって検索された配信ルールに該当するユーザプロファイル情報のユーザの端末に対し、前記配信情報を配信する配信部と、を有することを特徴とする。
【０００７】
この発明によれば、即時情報を受信した即時情報に含まれる情報に該当する配信ルールを検索し、この配信ルールに該当するユーザプロファイル情報が設定されたユーザの端末に対して配信情報を送信するようにしたので、その時の状況に応じた情報を配信することができるので、ユーザにとって、その時の自分に適した情報をリアルタイムに得ることができ、印刷物を有効に利用してもらうことができ、配信情報を配信して印刷してもらう価値を高めることが可能となる。
【０００８】
また、本発明は、上述の情報提供システムにおいて、前記配信条件検索部は、前記即時情報に含まれる項目の組み合わせとその情報に基づいて前記配信ルールを検索することを特徴とする。
【０００９】
この発明によれば、即時情報に含まれる複数の情報を組み合わせて利用することができるので、その状況の変化に合わせて、より精度良くきめ細やかな情報を提供することができる。
【００１０】
また、本発明は、情報配信装置にネットワークを介して接続されるとともに端末に情報を提供する情報提供システムにおける情報提供方法であって、情報の更新に応じて当該更新された後の即時情報を受信し、前記受信した即時情報に含まれる情報に該当する配信ルールを、配信情報を配信する配信ルールを記憶する配信ルール記憶部のなかから検索し、前記端末のユーザに関する情報であるユーザプロファイル情報を記憶するユーザ情報記憶部を参照し、前記検索された配信ルールに該当するユーザプロファイル情報に該当するユーザの端末に対し、前記配信情報を配信することを特徴とする。
【００１１】
また、本発明は、情報配信装置にネットワークを介して接続されるとともに端末に情報を提供する情報提供システムにおける情報提供プログラムであって、情報の更新に応じて当該更新された後の即時情報を受信するステップと、前記受信した即時情報に含まれる情報に該当する配信ルールを、配信情報を配信する配信ルールを記憶する配信ルール記憶部のなかから検索するステップと、前記端末のユーザに関する情報であるユーザプロファイル情報を記憶するユーザ情報記憶部を参照し、前記検索された配信ルールに該当するユーザプロファイル情報に該当するユーザの端末に対し、前記配信情報を配信するステップと、をコンピュータに実行させることを特徴とする。
【発明を実施するための最良の形態】
【００１２】
以下、本発明の一実施形態による情報提供システムを図面を参照して説明する。図１は、この発明の一実施形態による情報提供システムの構成を示す概略ブロック図である。この図において、情報提供システム１００は、情報提供装置１、即時情報サーバ２、発行元端末３、ユーザ端末４、印刷装置５、実績情報登録装置６によって構成される。
【００１３】
即時情報サーバ２は、インターネットなどのネットワークを介して情報提供装置１に接続され、時刻の経過、環境、状況の変化に応じてリアルタイムに更新される即時情報を情報提供装置１に送信する。即時情報とは、状況の変化に応じて即時に更新される情報であってもよく、一定時間毎（例えば数分毎、数時間毎）に更新される情報であってもよい。また、即時情報の例としては、天候や気温、風力、風向、湿度などの気象に関する情報である気象情報、花粉の飛散量、紫外線の量など環境に関する情報である環境情報などがある。
【００１４】
発行元端末３は、ユーザに広告などを提供する広告主によって運営される端末であり、ユーザ端末４に送信する配信情報と、配信情報を配信する配信ルールを情報提供装置１に登録する。配信情報には、広告情報やお知らせの情報などが含まれる。また、この広告主は、自身が登録する配信情報を受信して印刷してもらうことを前提に、後述する印刷装置５をユーザに無償で配付あるいは、通常の価格より割り引きして販売する。また、広告主は、提供した印刷装置５の消耗品についてもユーザに提供をする。この消耗品の提供については、自身が登録した配信情報の印刷した実績に応じて消耗品そのものをユーザに郵送するようにしてもよく、消耗品代に相当する金額をユーザの口座に振り込みをするようにしてもよい。
【００１５】
情報提供装置１は、即時情報サーバ２から送信される即時情報に基づいて、発行元端末３から登録された配信ルールに従って、配信情報をユーザ端末４に配信する。
【００１６】
ユーザ端末４は、インターネットや公衆回線網などのネットワークを介して情報提供装置１と通信可能に接続される。このユーザ端末４は、例えばパーソナルコンピュータや、電子メールの受信機能を有する携帯電話、ＰＤＡ（personal digital assistance）携帯情報端末などが適用可能である。
印刷装置５は、例えばプリンタであり、ユーザ端末４が受信した配信情報（例えば、クーポンや広告、お知らせ）を印刷媒体に印刷して印刷物を出力する。
実績情報登録装置６は、印刷装置５から出力印刷物に印刷された情報を読み取り、実績情報として情報提供装置１に送信して登録する。ここでは、印刷物にユーザを識別するＩＤとその配信情報を識別するＩＤとを示すバーコードを印刷しておき、このバーコードをバーコードリーダ６ａによって読み取って情報提供装置１に送信する。この情報提供装置１は、例えば、ＰＯＳ（point-of-sale）が適用される。
【００１７】
次に、図１における情報提供装置１についてさらに説明する。
図２は、情報提供装置１の構成を示す概略ブロック図である。この図において、即時情報受信部１０は、即時情報サーバ２から送信される即時情報を受信する。即時情報受信部１０は、即時情報の更新に応じて、更新される毎に即時情報を受信するようにしてもよく、任意のタイミングで即時情報サーバ２にアクセスしてその時蓄積されている即時情報を読み出すようにしてもよい。ここで、図３は、即時情報の一例を示す図面である。この図において、即時情報は、環境情報を気象情報とによって構成された場合について図示されている。即時情報は、１つの項目がさらに複数の項目に分類されるようにすることも可能であり、ここでは、環境情報（項目１）がさらに「花粉」と「紫外線」の項目（項目２）に分類されている。項目２については、その時に応じた内容が含まれており、この内容が更新された時、例えば、花粉の量が「普通」から「多い」に更新された場合に即時情報を受信する。
【００１８】
配信ルール記憶部１１は、配信情報を配信する配信ルールを記憶する。この配信情報は、発行元端末３からの登録依頼に基づいて登録される。図４は、この配信ルール記憶部１１に記憶される配信ルールの一例を示す図面である。この図に示すように、配信ルールには、即時情報の項目の構成に応じて分類されており、記憶されており、それらの項目の組み合わせとさらに情報の内容の組み合わせ毎に配信対象となる条件（ユーザプロファイル情報を指定する条件と配信情報を特定するＩＤ）が配信ルールとして記憶されている。ここでは、配信ルール１と２以外にも記憶される。
【００１９】
配信条件検索部１２は、即時情報受信部１０が受信した即時情報に含まれる情報に該当する配信ルールを配信ルール記憶部１１に記憶された配信ルールのなかから検索する。また、配信条件検索部１２は、即時情報に含まれる項目の組み合わせとその情報の内容に基づいて配信ルールを検索する。
【００２０】
ユーザ情報記憶部１３は、配信情報を配信する対象となるユーザに関する情報であるユーザプロファイル情報を記憶する。図５は、ユーザプロファイル情報の一例を示す図面である。この図に示すように、ユーザプロファイル情報は、ユーザＩＤとメールアドレスとが対応付けて記憶されると共に、そのユーザに関する情報が、住所、年齢、性別、趣味、嗜好、職種、体質などの項目について記憶される。配信情報記憶部１４は、ユーザ端末４に送信する配信情報を記憶する。配信情報は、その情報毎にＩＤが設定されており、どれを配信すべきか識別が可能である。配信部１５は、配信条件検索部１２によって検索された配信ルールに該当するユーザプロファイル情報が設定されているユーザ情報をユーザ情報記憶部１３のなかから検索し、検索されたユーザのユーザ端末４に対して配信情報を配信する。
【００２１】
配信ログ記憶部１６は、配信部１５によって配信された配信情報と配信した対象のユーザについてログとして記憶する。実績情報受信部１７は、実績情報登録装置６からインターネットやＬＡＮ（ローカルエリアネットワーク）などのネットワークを介して送信される実績情報を受信する。実績情報受信部１７は、実績情報受信部１７が受信した実績情報を記憶する。
【００２２】
傾向分析部１９は、配信ログ記憶部１６に記憶されたログと実績情報受信部１７に記憶された実績情報とに基づいて、どのようなユーザプロファイル情報が設定されたユーザが配信情報を実際に利用したかについて、傾向を分析する。レポート送信部２０は、傾向分析部１９が分析した結果を発行元端末３に送信する。ポイント管理部２１は、配信ログ記憶部１６に記憶された配信ログを参照し、配信情報を印刷した際に発生する消耗品の消費量に応じたポイントを算出してポイント記憶部２２に記憶する。
【００２３】
なお、配信ルール記憶部１１、ユーザ情報記憶部１３、配信情報記憶部１４、配信ログ記憶部１６、実績情報受信部１７、ポイント記憶部２２は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるもとのする。また、配信ログ記憶部１６と実績情報記憶部１８とポイント記憶部２２については、ユーザ情報記憶部１３の中に組み込んで、１つのデータベースを構築するようにしてもよい。
【００２４】
また、即時情報受信部１０、配信条件検索部１２、配信部１５、実績情報受信部１７、傾向分析部１９、レポート送信部２０は、専用のハードウェアにより実現されるものであってもよく、また、この即時情報受信部１０、配信条件検索部１２、配信部１５、実績情報受信部１７、傾向分析部１９、レポート送信部２０はメモリおよびＣＰＵ（中央演算装置）により構成され、これらのの機能を実現するためのプログラムをメモリにロードして実行することによりその機能を実現させるものであってもよい。
【００２５】
次に、図２の構成における情報提供装置１を適用した情報提供システムの動作について、図６のフローチャートを用いて説明する。
まず、広告主から入力される配信情報と、配信ルールを発行元端末３から受信して、それぞれ配信情報記憶部１４、配信ルール記憶部１１に登録するとともに、印刷装置５が配付されたユーザについてのユーザプロファイル情報をユーザ端末４から受信してユーザ情報記憶部１３に登録する（ステップＳ１１）。次に、即時情報受信部１０は、即時情報サーバ２から即時情報を受信する（ステップＳ１２）。即時情報を受信すると、配信条件検索部１２は、即時情報に含まれる項目の組み合わせとその情報の内容に基づいて、即時情報に該当する配信ルールを配信ルール記憶部１１のなかから検索して読み出す（ステップＳ１３）。
【００２６】
配信ルールが読み出されると、配信部１５は、配信条件検索部１２によって検索された配信ルールに設定された配信情報のＩＤに一致する配信情報（広告情報、お知らせ情報）を配信情報記憶部１４から抽出し（ステップＳ１４、１５）、当該配信ルールに該当するユーザプロファイル情報が設定されているユーザ情報をユーザ情報記憶部１３のなかから検索し、検索されたユーザのメールアドレスを宛先としてユーザ端末４に配信情報を配信する（ステップＳ１６）。ここでは、配信情報として、配信情報を識別する情報とユーザＩＤとを示すバーコードを含むクーポンの情報、広告情報、お知らせ情報などが送信される。そして、配信部１５は、配信した配信情報と配信した対象のユーザについて配信ログとして配信ログ記憶部１６に記憶する。
【００２７】
配信ログ記憶部１６に配信ログが記憶されると、ポイント管理部２１は、配信された配信情報を印刷した際にかかる消耗品の量を算出して記憶してポイント記憶部２２に記憶する（ステップＳ１７）。
【００２８】
ユーザ端末４は、配信情報を受信すると、印刷装置５によって配信情報を印刷する。ユーザは、印刷装置５によって配信情報が印刷された印刷物を閲覧したり、印刷されたクーポンの情報を必要に応じて店頭にて利用する。そして、この店頭の利用によってクーポンのバーコードが読み取られると、実績情報登録装置６は、読み取ったバーコードの情報を実績情報として情報提供装置１に送信する。
【００２９】
実績情報受信部１７は、実績情報登録装置６から実績情報を受信したか否かを検出し（ステップＳ１８）、受信の有無すなわちクーポンの利用の有無について、実績情報受信部１７に記憶する（ステップＳ１９）。受信したか否かについては、配信情報が配信された時点から一定時間（例えば、５日以内など）の範囲内において、その有無が検出される。
【００３０】
実績情報受信部１７に実績情報が蓄積されると、傾向分析部１９は、実績情報記憶部１８と配信ログ記憶部１６とを参照し、傾向分析を行い（ステップＳ２０）、分析結果を広告主の発行元端末３にレポートとしてレポート送信部２０によって送信する（ステップＳ２１）。そして、一定期間ごと発行元端末３からの指示に応じてポイント記憶部２２に記憶されたポイントの情報について発行元端末３に送信され、発行元端末３において、ポイントに応じた消耗品の提供がなされる（ステップＳ２２）。ここで提供される消耗品としては、印刷装置５によって印刷を行う場合に消耗するものであり、例えば、インク、トナー、印刷媒体（印刷用紙）などがある。
【００３１】
次に、配信ルールによって配信情報が配信される例について説明する。ここでは、即時情報として環境情報の項目「花粉」が「多い」として入力され、天候が「晴れ」として入力されると、この即時情報の組み合わせに対応する配信ルール１（図４（ａ））が該当する配信ルールとして読み出され、趣味「アウトドアスポーツ」であって、体質が「花粉症」のユーザプロファイル情報が設定されたユーザに対して、ＩＤが０００２２の配信情報が配信される。配信情報の一例としては、「今日は花粉が多いです。外出は控えめに・・・・。外出する際にはマスクを着用しましょう。」などのお知らせ情報が配信されるとともに、この情報に関連する商品として「花粉除去マスク」の広告が配信されると共に、この商品の「花粉除去マスク」のクーポン券の情報が配信される。ユーザは、この配信情報を印刷することによって、花粉の飛散量を考慮して外出したり、サッカーやテニスなどのアウトドアスポーツをするか否かなどの検討をすることができる。また、その日にユーザに必要になりそうな商品のクーポンを印刷するようにしたので、ユーザによってクーポンを利用してもらう可能性を高めることができる。なお、この配信情報を配信する際には、即時情報の項目以外にも、対象地域や対象年齢といったユーザの属性について検索キーワードとして利用され、配信対象者を限定することができる。
【００３２】
一方、即時情報として環境情報の項目「花粉」が「多い」として入力され、天候が「晴れ」として入力された場合、花粉症ではないユーザや、アウトドアスポーツをしないユーザに対しては、この配信情報は送信されないが、ユーザにとって利用価値が少ないので、送信しなくても問題ない。
【００３３】
他方、即時情報として環境情報の項目「花粉」が「多い」として入力され、天候が「晴れ」として入力された場合において、環境情報の「花粉」の項目のみ参照してユーザに配信することも可能である。この場合、配信ルール１に従った配信を行う他に、さらに、配信ルール２（図４（ｂ））が該当する配信ルールについても、配信を行う。ここでは、職種が「営業（セールス）」、「ドライバー」、「工事業」、「主婦」のユーザであって、対象地域、対象年齢に該当するユーザプロファイル情報が設定されたユーザに対して、ＩＤが００００１の配信情報が配信される。配信情報の一例としては、「今日は花粉が多いです。外出時には、マスクを着用してはいかがでしょうか。」などのお知らせ情報が配信されるとともに、この情報に関連する商品として「花粉除去マスク」の広告が配信されると共に、この商品の「花粉除去マスク」のクーポン券の情報が配信される。ユーザは、この配信情報を印刷することによって、外出する際に、花粉の飛散量を考慮して持ち物や服装などを決めることができる。
【００３４】
このように、その時の状況に応じた情報を配信して印刷することにより、ユーザにとって、その時の自分に適した情報をリアルタイムに得ることができるので、印刷物を有効に利用することができる。これにより、配信情報を配信して印刷してもらう価値を高めることが可能である。また、「花粉除去マスク」を販売している広告主にとっては、自社の製品を購入して欲しいターゲットの条件を配信ルールとして配信情報を情報提供装置１に登録することによって、ユーザがその商品について興味を示す可能性が高いタイミングで配信することができ、宣伝効果を高めることができる。
【００３５】
なお、上述した配信情報を配信する際、他の即時情報を利用することも可能である。例えば、即時情報として、その日の夕方５時以降の気温が「３度」以下になるという気象情報が入力された場合に、「今夜は寒くなりそうです。」というお知らせ情報の他に、「夕食におでんはいかがですか？」という広告情報を昼間に配信するととももに、おでんに利用される食品についてのクーポンの情報も送信する。この場合、職種が「主婦」に対して送信する。ここでは、広告主としてスーパーが、これらの配信情報と配信ルールを予め設定しておくことによって、売り上げを向上させることが可能となる。
【００３６】
なお、広告主が、ポイント管理部２１に記憶されたポイントに応じて消耗品をユーザに提供する場合、消耗品については、広告などの印刷にかかる分について広告主が全て負担し、その消耗品の代金をユーザ口座に振り込むあるいは、消耗品を郵送するようにしてもよい。
【００３７】
また、レポート送信部２０から送信された傾向分析結果を発行元端末３において蓄積し、クーポンの利用の有無や配信されたユーザの条件などを加味して、広告主が、配信ルールを変更して登録するようにしてもよい。これにより、広告主にとって最適な広告配信をすることも可能となる。
【００３８】
また、上述した実施形態においては、ユーザ端末４に印刷装置５が接続された構成について説明したが、通信機能を印刷装置５に搭載した複合機である印刷装置５を適用するようにしてもよい。これにより、配信情報を直接印刷装置５に配信して直接印刷させることができ、ユーザ端末４を所有しないユーザに対してもサービスを提供することができる。この場合、配信の宛先として印刷装置５のIPアドレスをユーザプロファイル情報に登録しておくことにより、このIPアドレスが設定された印刷装置５に配信することができる。
【００３９】
また、図１における即時情報受信部１０、配信条件検索部１２、配信部１５、実績情報受信部１７、傾向分析部１９、レポート送信部２０の機能を実現するためのプログラムをコンピュータ読み取り可能な記録媒体に記録して、この記録媒体に記録されたプログラムをコンピュータシステムに読み込ませ、実行することにより配信情報の配信を行ってもよい。なお、ここでいう「コンピュータシステム」とは、ＯＳや周辺機器等のハードウェアを含むものとする。
【００４０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４１】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４２】
【図１】この発明の一実施形態による情報提供システムの構成を示す概略ブロック図である。
【図２】情報提供装置１の構成を示す概略ブロック図である。
【図３】即時情報の一例を示す図面である。
【図４】配信ルールの一例を示す図面である。
【図５】ユーザプロファイル情報の一例を示す図面である。
【図６】情報提供装置１を適用した情報提供システムの動作について説明するためのフローチャートである。
【符号の説明】
【００４３】
１  情報提供装置                      ２  即時情報サーバ
３  発行元端末                        ４  ユーザ端末
５  印刷装置                          ６  実績情報登録装置
１０  即時情報受信部                  １１  配信ルール記憶部
１２  配信条件検索部                  １３  ユーザ情報記憶部
１４  配信情報記憶部                  １５  配信部
１６  配信ログ記憶部                  １７  実績情報受信部
１８  実績情報記憶部                  １９  傾向分析部
２０  レポート送信部                  ２１  ポイント管理部
２２  ポイント記憶部                  １００  情報提供システム
【図１】
2005267535.tif 000003
【図２】
2005267535.tif 000004
【図３】
2005267535.tif 000005
【図４】
2005267535.tif 000006
【図５】
2005267535.tif 000007
【図６】
2005267535.tif 000008